(57)【特許請求の範囲】
【請求項１】
放送受信端末、店舗クーポン情報処理端末、及び携帯情報端末を備えた電子クーポンシステムであって、
前記放送受信端末は、
放送信号から電子クーポンのクーポン情報を取り出すクーポン情報取出手段と、
前記電子クーポンをフィルタリングするフィルタリング手段と、
前記フィルタリング手段によりフィルタリングした前記電子クーポンのクーポン情報を前記携帯情報端末に送信するクーポン情報送信手段とを有し、
前記店舗クーポン情報処理端末は、
店舗クーポン情報を前記携帯情報端末に送信する店舗クーポン情報送信手段を有し、
前記携帯情報端末は、
前記放送受信端末から受信する前記クーポン情報と前記店舗クーポン情報処理端末から受信する前記店舗クーポン情報が適合しているときに、前記携帯情報端末に前記店舗クーポン情報を表示する店舗クーポン情報表示手段を有する
ことを特徴とする電子クーポンシステム。
【請求項２】
前記フィルタリング手段は、前記放送受信端末と前記携帯情報端末から取得するフィルタ情報に基づいて前記電子クーポン毎にポイントを設定し、前記ポイントに基づいて前記電子クーポンをフィルタリングすることを特徴する請求項１に記載の電子クーポンシステム。
【請求項３】
前記フィルタ情報に重み付けランクが設定され、前記重み付けランクにより前記電子クーポンのポイントが算出されることを特徴とする請求項２に記載の電子クーポンシステム。
【請求項４】
前記店舗クーポン情報処理端末は前記携帯情報端末に対して接続要求を送信し、前記携帯情報端末は前記店舗クーポン情報処理端末から前記接続要求を受信し、認証が完了したときに前記店舗クーポン情報処理端末と前記携帯情報端末が接続されることを特徴とする請求項３に記載の電子クーポンシステム。
【請求項５】
前記店舗クーポン情報処理端末と前記携帯情報端末は、短距離無線通信手段により接続されることを特徴とする請求項４に記載の電子クーポンシステム。
【請求項６】
前記店舗クーポン情報処理端末と前記携帯情報端末との認証は、前記クーポン情報に設定されるパスキー情報と、前記店舗クーポン情報に設定されるパスキー情報との照合により行われることを特徴とする請求項４または請求項５に記載の電子クーポンシステム。
【請求項７】
前記クーポン情報と前記店舗クーポン情報が適合しているかの判定は、前記パスキー情報の照合により行われることを特徴とする請求項６に記載の電子クーポンシステム。
【請求項８】
前記クーポン情報の前記パスキー情報は、前記クーポン情報から生成されることを特徴とする請求項７に記載の電子クーポンシステム。
【請求項９】
前記店舗クーポン情報の前記パスキー情報は、前記店舗クーポン情報から生成されることを特徴とする請求項７に記載の電子クーポンシステム。
【請求項１０】
前記携帯情報端末は、前記クーポン情報に設定される会員情報により前記携帯情報端末のユーザーが前記電子クーポンを利用できるかを判定することを特徴とする請求項１から請求項９のいずれか１項に記載の電子クーポンシステム。
【発明の詳細な説明】
【技術分野】
【０００１】
本発明は、放送信号により配信される電子クーポンに係り、特に電子クーポンの利用を高めることができる電子クーポンシステムに関する。
【背景技術】
【０００２】
携帯電話などの携帯情報端末を用いた電子クーポンシステムとして、電子メールやＷｅｂから電子クーポンを得て、その電子クーポンを店舗等に提示する事で割引等を受ける方法が実現されている。しかし、電子メールを用いる方法では、電子クーポンの提供者は予め顧客に電子メールアドレスを登録してもらう必要がある。また、Ｗｅｂを用いた方法では、顧客が電子クーポンをＷｅｂで検索することで顧客は電子クーポンを得るので、電子クーポンの提供者は不特定多数の顧客に電子クーポンを提供することができない。このため、デジタル放送電波により電子クーポンを配信し、このデジタル放送電波を受信するテレビ受信機（以下、放送受信端末という）を通して電子クーポンを受信する電子クーポンシステムが提案されている。しかし、このようなデジタル放送電波による電子クーポンシステムでは、放送受信端末に多数の電子クーポンが配信されるため、顧客が利用可能な電子クーポンだけを取り出すフィルタリング処理が必要となる。
【０００３】
地上デジタル放送により電子クーポンを配信する技術として下記の特許文献１と特許文献２がある。特許文献１では、放送局から電子クーポン等のデータを弁別するためのフォームが送信され、視聴者がそのフォームに従って弁別情報を設定することで、放送される電子クーポンの中から視聴者にあった電子クーポンを取得する事ができる放送システムを提供している。また、特許文献２では、放送局から送出する電子クーポンを取捨選択するためのインデックス情報を電子クーポンに付加し、視聴者の個人情報と付加したインデックス情報とを用いて視聴者の嗜好に合った電子クーポンをテレビに表示又は携帯端末に転送するデジタルテレビ放送システムを提供している。
【先行技術文献】
【特許文献】
【０００４】
【特許文献１】特許第４７５７９９９号公報
【特許文献２】特開２００２−１０１３５９号公報
【発明の概要】
【発明が解決しようとする課題】
【０００５】
このような特許文献１と特許文献２の地上デジタル放送を用いた電子クーポンシステムでは、多数の電子クーポンの中から、ユーザーが利用する可能性が高い電子クーポンをフィルタリングして取り出すことができる。しかし、特許文献１と特許文献２はどちらもユーザーがフィルタリング情報を自ら入力する必要があるので、ユーザーが利用する可能性の高い店舗やサービスが変わった場合には、ユーザー自身でフィルタリング情報を変更しなければならないので手間がかかるという問題があった。また、ユーザーは電子クーポンを事前に取得して携帯情報端末などに保存していても、その電子クーポンを利用できる店舗で電子クーポンの提示を忘れてしまい、電子クーポンを利用しないことがあった。
【０００６】
本発明はこのような状況に鑑みてなされたものであり、上記課題を解決できる電子クーポンシステムを提供することを目的とする。
【課題を解決するための手段】
【０００７】
本発明の電子クーポンシステムは、放送受信端末、店舗クーポン情報処理端末、及び携帯情報端末を備えた電子クーポンシステムであって、前記放送受信端末は、放送信号から電子クーポンのクーポン情報を取り出すクーポン情報取出手段と、前記電子クーポンをフィルタリングするフィルタリング手段と、前記フィルタリング手段によりフィルタリングした前記電子クーポンのクーポン情報を前記携帯情報端末に送信するクーポン情報送信手段とを有し、前記店舗クーポン情報処理端末は、店舗クーポン情報を前記携帯情報端末に送信する店舗クーポン情報送信手段を有し、前記携帯情報端末は、前記放送受信端末から受信する前記クーポン情報と前記店舗クーポン情報処理端末から受信する前記店舗クーポン情報が適合しているときに、前記携帯情報端末に前記店舗クーポン情報を表示する店舗クーポン情報表示手段を有することを特徴としている。
また、本発明の電子クーポンシステムの前記フィルタリング手段は、前記放送受信端末と前記携帯情報端末から取得するフィルタ情報に基づいて前記電子クーポン毎にポイントを設定し、前記ポイントに基づいて前記電子クーポンをフィルタリングすることを特徴としている。
また、本発明の電子クーポンシステムは、前記フィルタ情報に重み付けランクが設定され、前記重み付けランクにより前記電子クーポンのポイントが算出されることを特徴としている。
また、本発明の電子クーポンシステムの前記店舗クーポン情報処理端末は前記携帯情報端末に対して接続要求を送信し、前記携帯情報端末は前記店舗クーポン情報処理端末から前記接続要求を受信し、認証が完了したときに前記店舗クーポン情報処理端末と前記携帯情報端末が接続されることを特徴としている。
また、本発明の電子クーポンシステムの前記店舗クーポン情報処理端末と前記携帯情報端末は、短距離無線通信手段により接続されることを特徴としている。
また、本発明の電子クーポンシステムの前記店舗クーポン情報処理端末と前記携帯情報端末との認証は、前記クーポン情報に設定されるパスキー情報と、前記店舗クーポン情報に設定されるパスキー情報との照合により行われることを特徴としている。
また、本発明の電子クーポンシステムの前記クーポン情報と前記店舗クーポン情報が適合しているかの判定は、前記パスキー情報の照合により行われることを特徴としている。
また、本発明の電子クーポンシステムの前記クーポン情報の前記パスキー情報は、前記クーポン情報から生成されることを特徴としている。
また、本発明の電子クーポンシステムの前記店舗クーポン情報の前記パスキー情報は、前記店舗クーポン情報から生成されることを特徴としている。
また、本発明の電子クーポンシステムの前記携帯情報端末は、前記クーポン情報に設定される会員情報により前記携帯情報端末のユーザーが前記電子クーポンを利用できるかを判定することを特徴としている。
【発明の効果】
【０００８】
本発明の電子クーポンシステムは、デジタル放送電波により配信される電子クーポンにおいて、顧客が利用する可能性が高い電子クーポンが変化した場合でもその変化に応じて顧客が利用する可能性が高い電子クーポンだけをデジタル放送電波から取り出すことができ、また、顧客が電子クーポンを使用できる店舗でその電子クーポンを忘れずに利用することができる電子クーポンシステムを提供する。
【図面の簡単な説明】
【０００９】
【図１】本発明の実施形態に係る電子クーポンシステムの概要を示す図である。
【図２】本発明の実施形態に係る放送受信端末の機能構成を示す図である。
【図３】本発明の実施形態に係る携帯情報端末の機能構成を示す図である。
【図４】本発明の実施形態に係る店舗クーポン情報処理の機能構成を示す図である。
【図５】本発明の実施形態に係るデジタル放送電波により配信される電子クーポンのクーポン情報の構成を示す図である。
【図６】本発明の実施形態に係るフィルタ情報の生成方法を示す図である。
【図７】本発明の実施形態に係るクーポン情報ポイント設定手順を示す図である。
【図８】本発明の実施形態に係る携帯情報端末におけるクーポン情報保存処理のフローチャートである。
【図９】本発明の実施形態に係る店舗クーポン情報処理端末における店舗クーポン情報送信処理のフローチャートである。
【図１０】本発明の実施形態に係る携帯情報端末におけるクーポン情報表示処理のフローチャートである。
【発明を実施するための形態】
【００１０】
以下、本発明を実施するための形態（以下、「実施形態」という）について図面を参照して説明する。本発明の電子クーポンシステム１０は、放送受信端末または携帯情報端末が操作されることで得られる情報（以下、操作情報という）などから電子クーポンをフィルタリングする情報（以下、フィルタ情報という）を自動的に得て、これらのフィルタ情報によりデジタル放送電波により配信される多数の電子クーポンから顧客が利用する可能性が高い電子クーポンだけを取り出し、顧客の携帯情報端末に保存する。また、電子クーポンが保存された携帯情報端末を所持している顧客がその電子クーポンのサービスが受けられる店舗に近づくと、電子クーポンに設定されるクーポンに関する情報（以下、クーポン情報という）が携帯情報端末に通知されるものである。
【００１１】
本実施形態の電子クーポンシステム１０の概要について、図１を用いて説明する。電子クーポンシステム１０は、図１に示すように放送局１１のデジタル放送電波を受信する放送受信端末１００、電子クーポンの配信対象である顧客（以下、ユーザーという）が所持し放送受信端末１００と無線通信を行うことができる携帯情報端末２００、及び携帯情報端末２００と無線通信を行うことができる店舗クーポン情報処理端末３００から構成されている。放送受信機１００はユーザー宅１２などに設置され、店舗クーポン情報処理端末３００は店舗１４に設置されている。また、放送受信端末１００は、プロバイダなどを経由してネットワーク４００に接続され、放送受信端末１００と携帯情報端末２００は、ユーザー宅１２または屋外に設置されるアクセスポイント１３により無線通信を行うことができる。図１に示す電子クーポンシステム１０において、放送局１１、ユーザー宅１２、アクセスポイント１３、及び店舗１４について１箇所ずつ記載しているが、実際は複数箇所の放送局１１、ユーザー宅１２、アクセスポイント１３、及び店舗１４が存在している。また、携帯情報端末２００についても、１台記載しているが、複数の携帯情報端末２００を設けることが可能である。このような場合には、複数の携帯情報端末２００から放送受信端末１００の操作が可能となり、また複数の携帯情報端末２００は、放送受信端末１００と無線通信を行うことができる。
【００１２】
次に、放送受信端末１００の機能構成について、図２を用いて説明する。図２に示すように、放送受信端末１００は、デジタルチューナ１０１、ＴＳ（トランスポートストリーム）デコーダ１０２、音声処理部１０３、映像処理部１０４、データ放送処理部１０５、ＯＳＤ処理部１０６、表示処理部１０７、テレビモニタ１０８、クーポン情報処理部１０９、制御部１１０、記憶部１１１、無線通信インターフェース部１１２、ＬＡＮインターフェース部１１３、及びシステムバス１１４から構成されている。制御部１１０は、フィルタ情報取得処理部１１０ａ、クーポン情報ポイント設定処理部１１０ｂ、及びクーポン情報送信処理部１１０ｃを備えている。記憶部１１１は、フィルタ情報保存エリア１１１ａとクーポン情報保存エリア１１１ｂを備えている。
【００１３】
デジタルチューナ１０１には、デジタル放送電波を受信するアンテナ１２０が接続され、デジタルチューナ１０１は、このアンテナ１２０からデジタル放送電波を入力し、これらの放送電波をトランスポートストリームパケット（ＴＳパケット）に復調し、ＴＳデコーダ１０２に出力する。ＴＳデコーダ１０２は、このＴＳパケットから所望の番組放送の映像音声ストリーム、データ放送、及び電子クーポンのクーポン情報を抽出する。抽出された所望の番組放送の映像音声ストリーム、データ放送情報、及び電子クーポンのクーポン情報は、ＭＰＥＧ−２によって符号化されているデジタルデータである。音声処理部１０３は符号化された映像音声ストリームから音声データを復号し、復号した音声データをテレビモニタ１０８に出力する。映像処理部１０４は符号化された映像音声ストリームから映像データを復号し、復号した映像データをＯＳＤ処理部１０６に出力する。データ放送処理部１０５は、制御部１１０から出力されるデータ放送表示指令を入力すると、符号化されたデータ放送情報を復号し、復号したデータ放送情報をデータ放送領域に設定し、ＯＳＤ処理部１０６に出力する。ＯＳＤ処理部１０６は、映像処理部１０４から出力される映像データに、データ放送処理部１０５から出力されるデータ放送領域を重ね合わせ、その重ね合わせたデータを表示処理部１０７に出力する。表示処理部１０７は、ＯＳＤ処理部１０６から映像データとデータ放送領域が重ね合わされたデータを受信するとテレビ信号に変換し、テレビモニタ１０８に出力する。このように映像データとデータ放送領域が重ね合わされることで、テレビ放送画面とデータ放送画面の両方がテレビモニタ１０８に表示される。また、テレビモニタ１０８は音声処理部１０３から音声データを入力すると、テレビモニタ１０８に設けられたスピーカから音声を出力する。クーポン情報処理部１０９は、符号化された電子クーポンのクーポン情報を復号し、復号した電子クーポンのクーポン情報を制御部１１０に出力する。デジタル放送電波により配信される電子クーポンのクーポン情報の構成については、後述する。
【００１４】
制御部１１０は、ユーザーによる携帯情報端末２００の操作信号に基づき放送チャンネルやデータ放送を切り替えながら、放送受信端末１００全体を制御する。制御部１１０のフィルタ情報取得処理部１１０ａは、デジタル放送電波により配信される電子クーポンについて、ユーザーが利用する可能性の高い電子クーポンのみを取り出すためのフィルタ情報を取得する。また、フィルタ情報取得処理部１１０ａは、取得したフィルタ情報を記憶部１１１のフィルタ情報保存エリア１１１ａに保存する。フィルタ情報の詳細については、後述する。制御部１１０のクーポン情報ポイント設定処理部１１０ｂは、クーポン情報処理部１０９から復号された電子クーポンのクーポン情報を入力すると、記憶部１１１のフィルタ情報保存エリア１１１ａに保存されているフィルタ情報に基づいて、電子クーポンのクーポン情報にポイントの設定を行う。また、クーポン情報ポイント設定処理部１１０ｂは、ポイントが設定された電子クーポンのクーポン情報を記憶部１１１のクーポン情報保存エリア１１１ｂに保存する。クーポン情報ポイント設定処理部１１０ｂが行うポイント設定の手順については、後述する。クーポン情報送信処理部１１０ｃは、一定周期で記憶部１１１のクーポン情報保存エリア１１１ｂからクーポン情報を取り出し、クーポン情報に設定されているポイントが高い順に無線通信インターフェース部１１２を経由して携帯情報端末２００に送信する。また、クーポン情報送信処理部１１０ｃは、記憶部１１１のクーポン情報保存エリア１１１ｂからクーポン情報を取り出して携帯情報端末２００に送信した後、クーポン情報を削除する。このように、クーポン情報ポイント設定処理部１１０ｂはフィルタ情報取得処理部１１０ａが取得したフィルタ情報に基づいて電子クーポンのクーポン情報にポイントを設定し、クーポン情報送信処理部１１０ｃにより予め決められたポイント値以上の電子クーポンのクーポン情報を携帯情報端末２００に送信することで、携帯情報端末２００は、ユーザーが利用する可能性が高いフィルタリングされた電子クーポンのクーポン情報のみを受信することができる。
【００１５】
記憶部１１１は、放送受信端末１００の基本機能を実現するためのプログラムを記憶している。記憶部１１１のフィルタ情報保存エリア１１１ａには、電子クーポンをフィルタリングするためのフィルタ情報が保存されている。記憶部１１１のクーポン情報保存エリア１１１ｂには、ポイントが設定された電子クーポンのクーポン情報が保存されている。無線通信インターフェース部１１２は、携帯情報端末２００から送信される操作信号などの無線信号をアクセスポイント１３を経由して無線通信手段を用いて受信し、操作信号を制御部１１０に出力する。ＬＡＮインターフェース部１１３は、ＬＡＮケーブルによりプロバイダなどを経由してネットワーク４００に接続し、ネットワーク４００により店舗１４のＨＰ（ホームページ）やショッピングサイトなどにアクセスを行うことができる。システムバス１１４は、制御部１１０と制御部１１０により制御される各部とを接続し、制御部１１０はシステムバス１１４を経由して各部に制御信号を出力する。
【００１６】
次に、携帯情報端末２００の機能構成について、図３を用いて説明する。図３に示すように、携帯情報端末２００は、無線通信インターフェース部２１０、制御部２２０、パネル操作表示部２３０、及び記憶部２４０から構成されている。また、制御部２２０は、クーポン情報保存処理部２２０ａとクーポン情報表示処理部２２０ｂを備えている。記憶部２４０は、会員情報保存エリア２４０ａとユーザークーポン情報保存エリア２４０ｂを備えている。無線通信インターフェース部２１０は、放送受信端末１００から送信される無線信号をアクセスポイント１３を経由して無線通信手段を用いて受信し、制御部２２０に出力する。制御部２２０は、携帯情報端末２００全体を制御する。制御部２２０のクーポン情報保存処理部２２０ａは、放送受信端末１００から送信されるフィルタリングされた電子クーポンのクーポン情報を記憶部２４０のユーザークーポン情報保存エリア２４０ｂに保存する。クーポン情報保存処理部２２０ａの詳細については、後述する。制御部２２０のクーポン情報表示処理部２２０ｂは、店舗クーポン情報処理端末３００から送信されるクーポン情報（以下、店舗クーポン情報という）に適合するクーポン情報が記憶部２４０のユーザークーポン情報保存エリア２４０ｂに保存されているかを確認し、保存されている場合にパネル操作表示部２３０のパネルに表示する。店舗クーポン情報は、デジタル放送電波から配信される電子クーポンのクーポン情報に更に店舗１４のサービス内容などの詳細な情報が設定される店舗１４側の電子クーポンの情報である。クーポン情報表示処理部２２０ｂの詳細については、後述する。パネル操作表示部２３０は、ユーザーの指による接触で操作可能なパネルを備え、携帯情報端末２００が備える機能の操作項目をパネルに表示、パネルからの操作の入力、アクセスポイント１３を経由して受信するデータや情報をパネルに表示する。また、パネル操作表示部２３０には、ユーザーにより携帯情報端末２００が受信する電子クーポンのクーポン情報の通知許可が設定される。記憶部２４０は、携帯情報端末２００の基本機能を実現するためのプログラムを記憶している。記憶部２４０の会員情報保存エリア２４０ａには、携帯端末のユーザー自身の会員情報が保存されている。記憶部２４０のユーザークーポン情報保存エリア２４０ｂには、放送受信端末１００でフィルタリングされ送信される電子クーポンのクーポン情報が保存される。
【００１７】
次に、店舗クーポン情報処理端末３００の機能構成について、図４を用いて説明する。図４に示すように、店舗クーポン情報処理端末３００は、インターネット通信部３１０、制御部３２０、記憶部３３０、及び無線通信インターフェース部３４０から構成されている。また、制御部３２０は、店舗クーポン情報受信処理部３２０ａと店舗クーポン情報送信処理部３２０ｂを備えている。記憶部３３０は、店舗クーポン情報保存エリア３３０ａを備えている。インターネット通信部３１０は、プロバイダなどを経由してネットワーク４００に接続する。制御部３２０は、店舗クーポン情報処理端末３００全体を制御する。制御部３２０の店舗クーポン情報受信処理部３２０ａは、ネットワーク４００に接続している他の店舗や企業のサーバまたはＨＰ（ホームページ）などから自分の店舗１４で利用可能とする電子クーポンのクーポン情報をインターネット通信部３１０を経由して受信する。また、店舗クーポン情報受信処理部３２０ａは、記憶部３３０の店舗クーポン情報保存エリア３３０ａに保存する。この電子クーポンに適合する電子クーポンが、デジタル放送電波でユーザーに配信される。制御部３２０の店舗クーポン情報送信処理部３２０ｂは、携帯情報端末２００と無線通信を行いながら、携帯情報端末２００に保存されている電子クーポンのクーポン情報が店舗１４で利用可能であるかを判断する。店舗クーポン情報送信処理部３２０ｂの詳細については、後述する。記憶部３３０は、店舗クーポン情報処理端末３００の基本機能を実現するためのプログラムを記憶している。記憶部３３０のクーポン情報保存エリア３３０ａには、店舗１４で利用可能な店舗クーポン情報が保存される。無線通信インターフェース部３４０は、携帯情報端末２００から送信される無線信号をBluetooth（登録商標）やZigBee（登録商標）などの短距離通信で有効な通信可能範囲が１０ｍから１００ｍ程度の無線通信手段を用いて受信し、制御部３２０に出力する。本発明では、このような無線通信手段を「短距離無線通信手段」ということにする。
【００１８】
次に、デジタル放送波により配信される電子クーポンのクーポン情報の構成について図５を用いて説明する。図５に示すように、電子クーポンのクーポン情報は、企業情報、店舗情報、キーワード情報、個人識別情報、有効期限、対象商品情報、放送局番組情報、会員情報、及びパスキー情報から構成されている。企業情報は、電子クーポンの発行元である企業を特定するための情報である。例えば、電子クーポンの発行元が「企業Ａ１」であれば、この「企業Ａ１」が設定される。店舗情報は、電子クーポンが利用可能な店舗を特定するための情報である。例えば、電子クーポンが利用可能な店舗が「店舗Ａ１２」であれば、この「店舗Ａ１２」が設定される。キーワード情報は、キーワードを用いて電子クーポンをフィルタリングするときのキーワードを特定するための情報である。例えば、キーワードが「野球」であれば、この「野球」が設定される。個人識別情報は、個人情報を用いて電子クーポンをフィルタリングするときの個人を特定するための情報である。例えば、個人識別情報が「３０代男性」であれば、この「３０代男性」が設定される。有効期限は、電子クーポンの有効期限である。例えば、有効期限が「２０１２年６月３０日」であれば、この「２０１２年６月３０日」が設定される。対象商品情報は、電子クーポンにより割引または特典が得られる対象となる商品の情報である。例えば、電子クーポンの対象となる商品が「野球観戦チケット」でこの「野球観戦チケット」を購入すると電子クーポンにより割引が適用される場合には、この「野球観戦チケット」が設定される。放送局番組情報は、放送局と番組名を特定するための情報である。例えば、放送局番組情報が「放送局Ｂ１番組Ｂ２」であればこの「放送局Ｂ１番組Ｂ２」が設定される。会員情報は、電子クーポンの対象者を特定の会員に限定するための情報である。例えば、会員フラグに「０」が設定されていれば、電子クーポンの対象者を会員に限定しない。会員フラグに「１」が設定されていれば、電子クーポンの対象者を会員に限定する。会員フラグに「２」が設定されていれば、指定された会員ＩＤの会員のみに限定する。このように、会員情報には、会員フラグと会員フラグが「２」であるときの会員ＩＤが設定される。パスキー情報は、携帯情報端末２００と店舗クーポン情報処理端末３００が無線通信を行うときに認証情報として使用され、また、店舗クーポン情報処理端末３００から送信される店舗クーポン情報と、携帯情報端末２００がクーポン情報保存エリア１１１ｂに保存しているクーポン情報が適合しているかを判定するために使用されるパスキーである。例えば、パスキーが「＃ＰＫＥＹ」であれば、この「＃ＰＫＥＹ」が設定される。
【００１９】
次に、放送受信端末１００のフィルタ情報取得処理部１１０ａが取得し、記憶部１１１のフィルタ情報保存エリア１１１ａに保存されるフィルタ情報の生成方法について図６と図７を用いて説明する。図６に示すフィルタ情報には、ユーザーが放送受信端末１００の操作を行ったときにフィルタ情報取得処理部１１０が取得するフィルタ情報（以下、「放送受信端末フィルタ情報」という）と、ユーザーが携帯情報端末２００の操作を行ったときに無線通信インターフェース部１１２を経由して放送受信端末１００が取得するフィルタ情報（以下、「携帯情報端末フィルタ情報」という）の２種類の情報がある。また、「放送受信端末フィルタ情報」と「携帯情報端末フィルタ情報」には、「取得先または取得タイミング」、「フィルタ情報の取得方法」、「取得情報に対する重み付けランク」が決められている。「取得先または取得タイミング」はフィルタ情報の取得先または取得するタイミングである。「フィルタ情報の取得方法」は、取得先または取得するタイミングにおけるフィルタ情報の取得方法である。「取得情報に対する重み付けランク」は、取得したフィルタ情報に対する重み付けランクである。重み付けランクは、「Ａ」、「Ｂ」、「Ｃ」の順であり、重み付けランク「Ａ」が最も重い（高い）ランクである。例えば、図６の放送受信端末フィルタ情報において、取得先または取得タイミングが「定期的に視聴または予約録画している番組」であれば、定期的に視聴または予約録画している番組から配信される電子クーポンのクーポン情報から「企業情報」、「店舗情報」及び「キーワード情報」をフィルタ情報として取得する。そして、このフィルタ情報である「企業情報」、「店舗情報」、及び「キーワード情報」の重み付けランクが「Ｃ」であれば、「取得情報に対する重み付けランク」の「企業情報」、「店舗情報」、及び「キーワード情報」に「Ｃ」が設定される。この重み付けに基づいてフィルタ情報のポイントを算出する手順については、次のクーポン情報ポイント設定手順で説明する。
【００２０】
次に、放送受信端末１００のクーポン情報ポイント設定処理部１１０ｂがクーポン情報にポイントを設定するクーポン情報ポイント設定手順について図７を用いて説明する。図７（１）は、クーポン情報処理部１０９がデジタル放送電波から取り出した電子クーポンのクーポン情報１とクーポン情報２に設定されている「企業情報」、「店舗情報」、「キーワード情報」、及び「個人識別情報」の内容を示す。図７（２）は、放送受信端末１００のフィルタ情報保存エリア１１１ａに保存されているフィルタ情報の構成を示す。フィルタ情報は、重み付けランク毎に「企業情報・店舗情報」、「キーワード情報」、及び「個人識別情報」の内容が設定されている。図７（３）は、重み付けランク毎に予め決められている「企業情報・店舗情報」、「キーワード情報」、及び「個人識別情報」に対するポイントを示す。図７（４）は、放送受信端末１００のクーポン情報ポイント設定処理部１１０ｂによりクーポン情報保存エリア１１１ｂに保存されるクーポン情報１とクーポン情報２のデータである。尚、クーポン情報ポイント設定処理部１１０ｂがクーポン情報保存エリア１１１ｂにクーポン情報を保存するときには、クーポン情報に設定されるポイントが高い順に保存する。
このように、電子クーポンのクーポン情報がポイントの高い順にクーポン情報保存エリア１１１ｂに保存されることで、クーポン情報送信処理部１１０ｃは、予め決められたポイント数の電子クーポンのクーポン情報を取り出すときに、容易に取り出すことができる。
【００２１】
このような設定において、図７（１）のクーポン情報１の「企業情報」は「Ｃ１」、「店舗情報」は「設定無し」、「キーワード情報」は「自動車、旅行、本」、個人識別情報は「設定無し」となっている。また、図７（２）のフィルタ情報によると、「企業情報」の「企業Ｃ１」は重み付けランクが「Ｃ」、「キーワード情報」の「自動車」は重み付けランクが「Ａ」、「キーワード情報」の「旅行」は重み付けランクが「Ｂ」となっている。また、図７（３）の重み付けランク毎の情報に対するポイントによると、「企業情報・店舗情報」の重み付けランク「Ｃ」において「企業情報」のみ一致する場合のポイントは２０となっているので、クーポン情報１における「企業情報・店舗情報」のポイントは２０となる。また、「キーワード情報」の重み付けランク「Ａ」のポイントは５０、キーワード情報の重み付けランク「Ｂ」のポイントは２５となっている。更に、「キーワード情報」については、クーポン情報に複数のキーワード情報が存在する場合は、「キーワード情報」の重み付けランクのポイント数を合計し、その合計ポイントを「キーワード情報」の数で割るようにする。例えば、図７（１）のクーポン情報１においては、「キーワード情報」は「自動車、旅行、本」の３つの情報である。「自動車」は重み付けランク「Ａ」であるのでポイントは５０、「旅行」は重み付けランク「Ｂ」であるのでポイントは２５、「本」はフィルタ情報に設定されていないのでポイントは０である。この結果、クーポン情報１における「キーワード情報」のポイント合計は（５０＋２５）／３＝２５となる。従って、クーポン情報１のポイントは、「企業情報・店舗情報」のポイント２０と「キーワード情報」のポイント２５の合計であるポイント４５となる。尚、クーポン情報１とクーポン情報２ではクーポン情報２がクーポン情報１よりポイントが高いので、クーポン情報２が上位に保存される。
【００２２】
次に、携帯情報端末２００のクーポン情報保存処理部２２０ａが実行するクーポン情報保存処理について説明する。放送受信端末１００は、クーポン情報保存エリア１１１ｂ内のクーポン情報を、ポイントが高い順に携帯情報端末２００に送信する。携帯情報端末２００の無線通信インターフェース部２１０が放送受信端末１００から電子クーポンのクーポン情報を受信すると、制御部２２０に電子クーポンのクーポン情報を受信したことを通知する。制御部２２０がこの通知を入力すると、制御部２２０はクーポン情報保存処理部２２０ａを起動する。クーポン情報保存処理部２２０ａが起動されると、クーポン情報保存処理部２２０ａがクーポン情報保存処理を開始する。以下、図８のクーポン情報保存処理のフローチャートに示すステップ順に説明する。
【００２３】
（ステップＳ１０１）
まず、クーポン情報保存処理部２２０ａは、無線通信インターフェース部２１０から電子クーポンのクーポン情報を入力する。
【００２４】
（ステップＳ１０２）
次に、クーポン情報保存処理部２２０ａは、ユーザークーポン情報エリア２４０ｂに空きがあるかを確認する。空きがある場合（ステップＳ１０２のＹｅｓ）は、ステップＳ１０３に進む。また、空きがない場合（ステップＳ１０２のＮｏ）は、ステップＳ１１１に進む。
【００２５】
（ステップＳ１１１）
ステップＳ１０２がＮｏであるときに、クーポン情報保存処理部２２０ａは、ユーザークーポン情報エリア２４０ｂ内に、受信したクーポン情報より低いポイントのクーポン情報があるかを確認する。低いポイントのクーポン情報がない場合（ステップＳ１１１のＮｏ）は、これ以上クーポン情報を受信しても保存できないため放送受信端末１００との通信を終了するとともにクーポン情報保存処理を終了する。低いポイントのクーポン情報がある場合（ステップＳ１１１のＹｅｓ）は、ステップＳ１１２に進む。
【００２６】
（ステップＳ１１２）
ステップＳ１１１がＹｅｓであるときに、ユーザークーポン情報エリア２４０ｂ内の最もポイントが低いクーポン情報を削除し、ステップＳ１０３に進む。
【００２７】
（ステップＳ１０３）
ステップＳ１０２がＹｅｓであるときに、クーポン情報保存処理部２２０ａは、クーポン情報の会員情報に設定されている会員フラグが０であるかを判定する。会員フラグが０であるとき（ステップＳ１０３のＹｅｓ）は、ステップＳ１０８に進む。会員フラグが０でないとき（ステップＳ１０３のＮｏ）は、ステップＳ１０４に進む。
【００２８】
（ステップＳ１０４）
ステップＳ１０３がＮｏであるときに、クーポン情報保存処理部２２０ａは、記憶部２４０の会員情報保存エリア２４０ａからユーザー自身の会員情報を取り出す。
【００２９】
（ステップＳ１０５）
次に、クーポン情報保存処理部２２０ａは、ステップＳ１０４で取り出したユーザー自身の会員情報からクーポン情報の企業または店舗の会員であるかを判定する。ユーザーがクーポン情報の企業または店舗の会員であるとき（ステップＳ１０５のＹｅｓ）は、ステップＳ１０６に進む。ユーザーがクーポン情報の企業または店舗の会員でないとき（ステップＳ１０５のＮｏ）は、ステップＳ１０１に戻る。
【００３０】
（ステップＳ１０６）
ステップＳ１０５がＹｅｓであるときに、クーポン情報保存処理部２２０ａは、クーポン情報の会員情報に設定されている会員フラグが１であるかを判定する。会員フラグが１であるとき（ステップＳ１０６のＹｅｓ）は、ステップＳ１０８に進む。会員フラグが１でないとき（ステップＳ１０６のＮｏ）は、ステップＳ１０７に進む。
【００３１】
（ステップＳ１０７）
ステップＳ１０６がＮｏであるときに、クーポン情報保存処理部２２０ａは、クーポン情報の会員情報に設定されている会員ＩＤにユーザー自身の会員ＩＤが存在するかを判定する。クーポン情報の会員情報に設定されている会員ＩＤにユーザー自身の会員ＩＤが存在するとき（ステップＳ１０７のＹｅｓ）は、ステップＳ１０８に進む。クーポン情報の会員情報に設定されている会員ＩＤにユーザー自身の会員ＩＤがないとき（ステップＳ１０７のＮｏ）は、ステップＳ１０１に戻る。
【００３２】
（ステップＳ１０８）
ステップＳ１０３、ステップＳ１０６、及びステップＳ１０７がＹｅｓであるときに、クーポン情報保存処理部２２０ａは、電子クーポンのクーポン情報をユーザークーポン情報保存エリア２４０ｂに保存する。
【００３３】
（ステップＳ１０９）
次に、クーポン情報保存処理部２２０ａは、パネル操作表示部２３０にユーザーにより携帯情報端末２００が受信する電子クーポンのクーポン情報の通知許可が設定されているか判定する。通知許可の設定がされているとき（ステップＳ１０９のＹｅｓ）は、ステップＳ１１０に進む。通知許可の設定がされていないとき（ステップＳ１０９のＮｏ）は、ステップＳ１０１に戻る。
【００３４】
（ステップＳ１１０）
ステップＳ１０９がＹｅｓであるときに、クーポン情報保存処理部２２０ａは、パネル操作表示部２３０のパネルに電子クーポンのクーポン情報を表示する。例えば、会員フラグが２の場合では、「企業Ａ１からＶＩＰ会員用クーポンを受信しました。クーポン内容・・・有効期限  ＹＹＹＹ.ＭＭ．ＤＤが表示される。」
【００３５】
次に、店舗クーポン情報処理端末３００の店舗クーポン情報送信処理部３２０ｂが実行する店舗クーポン情報送信処理について説明する。店舗クーポン情報処理端末３００に電源が投入されると制御部３２０が店舗クーポン情報処理端末３００全体の制御を開始する。制御部３２０が制御を開始すると、制御部３２０は店舗クーポン情報送信処理部３２０ｂを起動する。店舗クーポン情報送信処理部３２０ｂが起動されると、店舗クーポン情報送信処理部３２０ｂが店舗クーポン情報送信処理を開始する。以下、図９の店舗クーポン情報送信処理のフローチャートに示すステップ順に説明する。
【００３６】
（ステップＳ２０１）
まず、店舗クーポン情報送信処理部３２０ｂは、無線通信インターフェース部３４０を経由して携帯情報端末２００に接続要求を送信する。
【００３７】
（ステップＳ２０２）
次に、店舗クーポン情報送信処理部３２０ｂは、携帯情報端末２００からパスキー情報の要求があるかを判定する。パスキー情報の要求があるとき（ステップＳ２０２のＹｅｓ）は、ステップＳ２０３に進む。パスキー情報の要求がないとき（ステップＳ２０２のＮｏ）は、ステップＳ２０１に戻る。
【００３８】
（ステップＳ２０３）
ステップＳ２０２がＹｅｓであるときに、店舗クーポン情報送信処理部３２０ｂは、記憶部３３０の店舗クーポン情報保存エリア３３０ａから店舗クーポン情報のパスキー情報を取り出し、携帯情報端末２００に送信する。
【００３９】
（ステップＳ２０４）
次に、店舗クーポン情報送信処理部３２０ｂは、携帯情報端末２００から認証完了を受信したかを判定する。認証完了を受信したとき（ステップＳ２０４のＹｅｓ）は、ステップＳ２０５に進む。認証完了を受信していないとき（ステップＳ２０４のＮｏ）は、ステップＳ２０１に戻る。
【００４０】
（ステップＳ２０５）
ステップＳ２０４がＹｅｓであるときに、店舗クーポン情報送信処理部３２０ｂは、携帯情報端末２００と接続を行う。このように携帯情報端末２００と接続することで、店舗クーポン情報処理端末３００と携帯情報端末２００が無線通信によりデータの送受信が可能となる。
【００４１】
（ステップＳ２０６）
次に、店舗クーポン情報送信処理部３２０ｂは、一定時間以内に携帯情報端末２００から店舗クーポン情報の要求があるかを判定する。店舗クーポン情報の要求があるとき（ステップＳ２０６のＹｅｓ）は、ステップＳ２０７に進む。店舗クーポン情報の要求がないとき（ステップＳ２０６のＮｏ）は、ステップＳ２０１に戻る。
【００４２】
（ステップＳ２０７）
ステップＳ２０６がＹｅｓであるときに、店舗クーポン情報送信処理部３２０ｂは、記憶部３３０の店舗クーポン情報保存エリア３３０ａから店舗クーポン情報を取り出し、携帯情報端末２００に送信する。
【００４３】
（ステップＳ２０８）
次に、店舗クーポン情報送信処理部３２０ｂは、携帯情報端末２００との接続を解除し、携帯情報端末２００に接続要求を送信するステップＳ２０１に戻る。このように携帯情報端末２００との接続を解除することで、店舗クーポン情報処理端末３００と携帯情報端末２００が無線通信によるデータの送受信が不可となる。
【００４４】
次に、携帯情報端末２００のクーポン情報表示処理部２２０ｂが実行するクーポン情報表示処理について説明する。携帯情報端末２００に電源が投入されると制御部２２０が携帯情報端末２００全体の制御を開始する。制御部２２０が制御を開始すると、制御部２２０はクーポン情報表示処理部２２０ｂを起動する。クーポン情報表示処理部２２０ｂが起動されると、クーポン情報表示処理部２２０ｂがクーポン情報表示処理を開始する。以下、図１０のクーポン情報表示処理のフローチャートに示すステップ順に説明する。
【００４５】
（ステップＳ３０１）
まず、クーポン情報表示処理部２２０ｂは待ち状態となる。携帯情報端末２００を所持したユーザーが、携帯情報端末２００と店舗クーポン情報処理端末３００がBluetooth（登録商標）やZigBee（登録商標）などの短距離無線通信手段による無線通信が可能な範囲に入ると、携帯情報端末２００の無線通信インターフェース部２１０が店舗クーポン情報処理端末３００から送信される接続要求を受信する。携帯情報端末２００の無線通信インターフェース部２１０がこの接続要求を受信すると、制御部２２０に通知する。制御部２２０がこの通知を入力するとクーポン情報表示処理部２２０ｂの待ち状態を解除され、クーポン情報表示処理部２２０ｂが携帯情報端末２００からの接続要求を受信する。
【００４６】
（ステップＳ３０２）
まず、クーポン情報表示処理部２２０ｂは、店舗クーポン情報処理端末３００に対して無線通信インターフェース部２１０を経由してパスキー情報を要求する。
【００４７】
（ステップＳ３０３）
次に、クーポン情報表示処理部２２０ｂは、無線通信インターフェース部２１０を経由して店舗クーポン情報処理端末３００からパスキー情報を受信する。
【００４８】
（ステップＳ３０４）
次に、クーポン情報表示処理部２２０ｂは、記憶部２４０のユーザークーポン情報保存エリア２４０ｂからクーポン情報のパスキー情報を取り出し、店舗クーポン情報処理端末３００から受信したパスキー情報と同じパスキー情報が設定されているクーポン情報が存在するかを判定する。店舗クーポン情報処理端末３００から受信したパスキー情報と同じパスキー情報が設定されているクーポン情報が存在するとき（ステップＳ３０４のＹｅｓ）は、ステップＳ３０５に進む。店舗クーポン情報処理端末３００から受信したパスキー情報と同じパスキー情報が設定されているクーポン情報が存在しないとき（ステップＳ３０４のＮｏ）は、ステップＳ３１１に進む。
【００４９】
（ステップＳ３０５）
ステップＳ３０４がＹｅｓであるときに、クーポン情報表示処理部２２０ｂは、無線通信インターフェース部２１０を経由して店舗クーポン情報処理端末３００に認証完了を送信する。
【００５０】
（ステップＳ３０６）
次に、クーポン情報表示処理部２２０ｂは、店舗クーポン情報処理端末３００と接続を行う。このように店舗クーポン情報処理端末３００と接続することで、携帯情報端末２００と店舗クーポン情報処理端末３００が無線通信によりデータの送受信が可能となる。
【００５１】
（ステップＳ３０７）
次に、クーポン情報表示処理部２２０ｂは、店舗クーポン情報処理端末３００に対して無線通信インターフェース部２１０を経由して店補クーポン情報の要求を送信する。
【００５２】
（ステップＳ３０８）
次に、クーポン情報表示処理部２２０ｂは、無線通信インターフェース部２１０を経由して店舗クーポン情報処理端末３００から店補クーポン情報を受信する。
【００５３】
（ステップＳ３０９）
次に、クーポン情報表示処理部２２０ｂは、店舗クーポン情報処理端末３００との接続を解除する。このように店舗クーポン情報処理端末３００との接続を解除することで、携帯情報端末２００と店舗クーポン情報処理端末３００が無線通信によるデータの送受信が不可となる。
【００５４】
（ステップＳ３１０）
次に、クーポン情報表示処理部２２０ｂは、パネル操作表示部２３０のパネルに店舗クーポン情報を表示し、店舗クーポン情報処理端末３００から接続要求を受信するまで待ち状態とするステップＳ３０１に戻る。
【００５５】
（ステップＳ３１１）
ステップＳ３０４がＮｏであるときに、クーポン情報表示処理部２２０ｂは、無線通信インターフェース部２１０を経由して店舗クーポン情報処理端末３００に認証不可を送信し、店舗クーポン情報処理端末３００から接続要求を受信するまで待ち状態とするステップＳ３０１に戻る。
【００５６】
このような実施形態によれば、電子クーポンシステム１０は、放送受信端末１００や携帯情報端末２００の操作情報などからフィルタ情報を自動的に取得し、これらのフィルタ情報によりデジタル放送電波により配信される多数の電子クーポンからユーザーが利用する可能性が高い電子クーポンだけを取り出し、ユーザーの携帯情報端末２００に保存することができる。また、電子クーポンが保存された携帯情報端末２００を所持しているユーザーが電子クーポンのサービスが受けられる店舗１４に近づくと、Bluetooth（登録商標）やZigBee（登録商標）などの短距離無線通信手段により、その店舗１４で利用可能な電子クーポンのクーポン情報を自動的に携帯情報端末２００が受信し、パネル操作表示部２３０のパネルに表示されるので、ユーザーは忘れずに電子クーポンを利用することができる。
【００５７】
なお、本実施形態によれば、携帯情報端末２００が１台である実施例について説明したが、複数台とすることも可能である。このような場合には、放送受信端末１００のフィルタ情報取得処理部１１０ａ、クーポン情報ポイント設定処理部１１０ｂ、及びクーポン情報送信処理部１１０ｃを携帯情報端末２００毎に設けることで、同様に実現可能である。また、本実施形態によれば、携帯情報端末２００と店舗クーポン情報処理端末３００が無線通信を行うための認証情報であるパスキー情報について、パスキー情報が予めクーポン情報に設定されている例について説明したが、クーポン情報に設定される他の情報から生成することも可能である。例えば、クーポン情報に設定されている企業情報と対象商品情報をビット毎の排他的論理和（ＸＯＲ）をパスキー情報とすることも可能である。また、本実施形態によれば、店舗クーポン情報処理端末３００において、店舗クーポン情報受信処理部３２０ａがネットワーク４００に接続している他の店舗や企業のサーバまたはＨＰ（ホームページ）などから自分の店舗１４で利用可能とする電子クーポンのクーポン情報を受信する実施例について説明したが、店舗１４で利用可能とする電子クーポンのクーポン情報を予め店舗クーポン情報処理端末３００に保存しておく、またはデジタル放送電波から取り出すようにすることも可能である。また、本実施形態によれば、地上デジタル放送や衛星デジタル放送などのデジタル放送電波により配信される電子クーポンの例について説明したが、ＣＡＴＶ放送、ＩＰ放送、インターネット放送、地域無線ＬＡＮ放送などのあらゆる放送手段が送出する放送信号により配信される電子クーポンに適用することが可能である。
【００５８】
以上により、本発明の電子クーポンシステムは、デジタル放送電波により配信される電子クーポンにおいて、顧客が利用する可能性が高い電子クーポンが変化した場合でもその変化に応じて顧客が利用する可能性が高い電子クーポンだけをデジタル放送電波から取り出すことができ、また、顧客が電子クーポンを使用できる店舗でその電子クーポンを忘れずに利用することができる電子クーポンシステムを提供することができる。
【００５９】
以上、具体的な実施の形態により本発明を説明したが、上記実施の形態は本発明の例示であり、この実施の形態に限定されないことは言うまでもない。
【産業上の利用可能性】
【００６０】
本発明は、電子クーポンシステムに好適であるが、クーポンだけでなく商品券、優待券、または入場券などを自動的に配信するシステム一般に適用可能である。
【符号の説明】
【００６１】
１０・・・・・電子クーポンシステム
１１・・・・・放送局
１２・・・・・ユーザー宅
１３・・・・・アクセスポイント
１４・・・・・店舗
１００・・・・・放送受信端末
１０１・・・・・デジタルチューナ
１０２・・・・・ＴＳ（トランスポートストリーム）デコーダ
１０３・・・・・音声処理部
１０４・・・・・映像処理部
１０５・・・・・データ放送処理部
１０６・・・・・ＯＳＤ処理部
１０７・・・・・表示処理部
１０８・・・・・テレビモニタ
１０９・・・・・クーポン情報処理部
１１０・・・・・制御部
１１０ａ・・・・フィルタ情報取得処理部
１１０ｂ・・・・クーポン情報ポイント設定処理部
１１０ｃ・・・・クーポン情報送信処理部
１１１・・・・・記憶部
１１１ａ・・・・フィルタ情報保存エリア
１１１ｂ・・・・クーポン情報保存エリア
１１２・・・・・無線通信インターフェース部
１１３・・・・・ＬＡＮインターフェース部
１１４・・・・・システムバス
２００・・・・・携帯情報端末
２１０・・・・・無線通信インターフェース部
２２０・・・・・制御部
２２０ａ・・・・クーポン情報保存処理部
２２０ｂ・・・・クーポン情報表示処理部
２３０・・・・・パネル操作表示部
２４０・・・・・記憶部
２４０ａ・・・・会員情報保存エリア
２４０ｂ・・・・ユーザークーポン情報保存エリア
３００・・・・・店舗クーポン情報処理端末
３１０・・・・・インターネット通信部
３２０・・・・・制御部
３２０ａ・・・・店舗クーポン情報受信処理部
３２０ｂ・・・・店舗クーポン情報送信処理部
３３０・・・・・記憶部
３３０ａ・・・・店舗クーポン情報保存エリア
３４０・・・・・無線通信インターフェース部
４００・・・・・ネットワーク
【要約】
【課題】デジタル放送電波により配信される電子クーポンからユーザーが利用する可能性が高い電子クーポンを携帯情報端末に保存し、ユーザーが忘れずに電子クーポンを利用することができる電子クーポンシステムを提供する。
【解決手段】電子クーポンシステム１０は、放送受信端末１００や携帯情報端末２００の操作情報などからフィルタ情報を自動的に取得し、このフィルタ情報により放送局１１からデジタル放送電波により配信される多数の電子クーポンからユーザーが利用する可能性が高い電子クーポンだけを取り出し、ユーザーの携帯情報端末２００に保存する。電子クーポンが保存された携帯情報端末２００を所持しているユーザーが電子クーポンを利用できる店舗１４に近づくと、店舗クーポン情報処理端末３００から携帯情報端末２００に店舗１４で利用可能な電子クーポンが送信されることで、ユーザーは忘れずに電子クーポンを利用することができる。
【選択図】図１【図１】
0005122689.tif 000002
【図２】
0005122689.tif 000003
【図３】
0005122689.tif 000004
【図４】
0005122689.tif 000005
【図５】
0005122689.tif 000006
【図６】
0005122689.tif 000007
【図７】
0005122689.tif 000008
【図８】
0005122689.tif 000009
【図９】
0005122689.tif 000010
【図１０】
0005122689.tif 000011